(57)【要約】【課題】  中心切削加工機のワークテーブルに適用されている大工作物の五面加工、複数の小工作物の一次精密加工、立式、横式加工に供されるクランプシステムの提供。【解決手段】  磁力シート底部が非導磁性のベースとされ、ワークテーブルに固定され、該磁力シート外部が二つの異なる磁極の導磁ヨークで組成された本体とされ、該磁力シートの本体内部の中央内孔中に二つの異なる磁極の導磁ヨーク及び第１永久磁石で組成された柱状磁極素子が設けられ、磁力シート上部の本体外表に導磁性を具えた板面が設置され、該本体の柱状磁極素子の第１永久磁石に対応する部分に磁場強度が等しい第２永久磁石が設置され、第１と第２永久磁石のＮ極とＳ極が同側の時、磁力は両者の和となり、第１と第２永久磁石のＮ極とＳ極が反対側のとき、磁力は相互に打ち消されて０となり、吸磁状態時の磁力が最強とされる。【選択図】        図５
0003106264.tif 000002
【実用新案登録請求の範囲】
【請求項１】
開閉式永久磁性ワークテーブルクランプシステムにおいて、磁力シートを具え、該磁力シートは、ベース、二つの面板、磁極素子、本体、二つの絶縁素子を具え、
該ベースはステンレスのような非導磁性の鉄材料で所定の大きさに形成された座体であり、
該二つの面板は導磁材料のヨーク鉄で形成され、該本体の二つの導磁ヨークの上方に設置され、平坦な吸引面を形成して工作物の載置と位置決めに供され、
該磁極素子は本体の円形内孔中に収容され、第１永久磁石及び異なる磁極を具え且つ半円柱状を呈する二つの導磁ヨークで組成され、この二つの導磁ヨークが所定の距離離されて非導磁性の絶縁素子で結合され、該第１永久磁石は複数の扁平な磁石が併合されてなり、組合せ後のＮ極とＳ極がそれぞれ二つの導磁ヨークの平坦面に当接しそれを被覆し、
該本体は、異なる磁極を有する二つの導磁ヨークが所定距離離されて非導磁性の絶縁素子で結合されてなり、該ベースの上方に収容され、その各導磁ヨークの一側に内凹半円形孔が設けられ、該本体の二つの導磁ヨーク間の方形内孔に第２永久磁石が設けられ、組合せ後の磁極が該本体の二つの導磁ヨークの平坦面に当接してそれを被覆し、該第２永久磁石の磁場強度の総和が第１永久磁石に等しく、該本体の二つの導磁ヨークの下方の二辺が削られて階段面が形成され、該本体の二つの導磁ヨークの上方が下方よりも大きい導磁面積を具え、最強の磁力が上方の吸引部に集中し、磁抵抗の損耗がなく、
該二つの絶縁素子は、銅或いはステンレスのような非導磁性の材料で形成されて該本体と磁極素子を連結するのに用いられ、該磁極素子と該本体の第１、第２永久磁石の磁極線を隔離し、第１、第２永久磁石の磁力が該本体の上、底面より該絶縁素子を跨ぎ、該面板のみに磁場が形成され、該絶縁素子の磁極素子と反対の外部の前、後連接軸の中心に凸嵌合手段が設けられ、スパナ工具及び連接手段の嵌合に供され、
第１、第２永久磁石のＮ極、Ｓ極が同側の時、本体の二つの導磁ヨークの磁力は第１、第２永久磁石の総和となり、第１、第２永久磁石が反対側の時、本体の二つの導磁ヨークの磁力は相互に打ち消されることを特徴とする、開閉式永久磁性ワークテーブルクランプシステム。
【請求項２】
請求項１記載の開閉式永久磁性ワークテーブルクランプシステムにおいて、本体の二つの導磁ヨークの外側に高硬度の耐磨耗板が設けられ、該本体の二つの導磁ヨークの吸引部に高硬度の耐磨耗柱が設けられたことを特徴とする、開閉式永久磁性ワークテーブルクランプシステム。
【請求項３】
請求項１記載の開閉式永久磁性ワークテーブルクランプシステムにおいて、第１、第２永久磁石は希土類異方性永久磁石で形成されたナジウム鉄ほう磁石とされたことを特徴とする、開閉式永久磁性ワークテーブルクランプシステム。
【請求項４】
請求項１記載の開閉式永久磁性ワークテーブルクランプシステムにおいて、磁力シートの隣り合う二つの耐磨耗板の側辺に二つの位置決め板が固定されて工作物の吸着、位置決めに供されることを特徴とする、開閉式永久磁性ワークテーブルクランプシステム。
【請求項５】
請求項１記載の開閉式永久磁性ワークテーブルクランプシステムにおいて、本体と磁極素子を連結する絶縁素子が前面板と前接続軸を具え、該前面板と前接続軸の間に相互に対応する位置決め手段と半円形位置決め溝が設けられ、位置決め手段が磁極素子に伴い正逆１８０度の回転可能とされ、位置決め手段が半円形位置決め溝の左右両辺の開、閉位置に位置決めされることで、その磁極の位置が改変されることを特徴とする、開閉式永久磁性ワークテーブルクランプシステム。
【請求項６】
請求項１記載の開閉式永久磁性ワークテーブルクランプシステムにおいて、連接手段が二つの磁力シートの間に支持されて連結機能を提供することを特徴とする、開閉式永久磁性ワークテーブルクランプシステム。
【考案の詳細な説明】
【技術分野】
【０００１】
本考案は一種の開閉式永久磁性ワークテーブルクランプシステムに係り、特に、複数の磁力シートが組み合わされた開閉式永久磁性ワークテーブルにおいて、特に磁性が増強されて重量が軽減されて周知のバイス、クランプ、電磁盤、永久磁盤に代わり使用されるクランプシステムに関する。
【背景技術】
【０００２】
ＣＮＣ中心切削機、旋盤、研磨盤等の加工機のクランプシステムは、早期のバイス、クランプから近年の電磁盤、永久磁盤へと変革されてきた。
【０００３】
早期のバイス、クランプ等のシステムは以下のような問題を有していた。
１．圧着部分と挟持の部分に加工を行なえず、ゆえに片面加工しか行なえず、五面加工を行なえない。
２．バイス或いはクランプで工作物を挟持、固定する操作ステップが面倒で、特にクランプの操作過程は更に複雑である。
３．バイスで工作物を挟持すると、工作物を変形させやすく、加工正確度に影響が生じ、且つゲージを用いて基準面を校正しなければならず、位置決め上、比較的面倒である。
【０００４】
近年常用される電磁盤１は、図１に示されるように、ＣＮＣ中心切削機、旋盤、研磨盤等の加工機のベースに固定され、通電後に、電磁盤１の端面に磁場吸着力を発生し、工作物を吸着、位置決めすることができ、これにより工作物の表面に研磨、切削等の加工を行なえるようにするものであり、それ以前のクランプ或いはバイスで工作物を加工機のベースに固定する時の、圧着部分及び挟持の部分に加工を行なえないという問題を解決する。
【０００５】
ただし、現在常用されている電磁盤１は、以下のような克服すべき問題と欠点を有している。
１．整流器を組み合わせて交流電力を直流電力に変換し、また、ＵＰＳ不停電システムを用いて突然の停電の状況を予防する必要がある。
２．接続された電線に引っかからないように、工作物の表面にしか研磨や切削等の加工を行なえず、工作物の四つの側面に対する加工が行なえず、孔あけ或いは溝切りの動作が行なえない。
３．温度が上昇しやすく、そのために電磁盤の吸引面が変形し、加工時の精度に影響が生じる。
４．電磁盤装置はその提供する吸着力が有限であり、このため所定の大きさの工作物しか吸着できず、工作物が大き過ぎると使用できない。
【０００６】
図２に示される永久磁盤２は、そのベース内部に間隔を以て複数の扁平状の小磁石（図示せず）が配置され、更に各列の小磁石の間に不導磁のアルミ或いは銅材料金属（図示せず）が設けられ、組合せ後にその各列の小磁石の磁極が一列がＮ極、次の一列がＳ極となるよう、離間配列された形態とされ、各列の磁極が該銅材或いはアルミ材の跨ぐ時に磁場を形成し、吸着力を発生して導磁性の工作物を吸着する。これら永久磁盤２には通電する必要がなく、ゆえに上述の電磁盤に整流器を組み合わせて交流電力を直流電力に変換したり、ＵＰＳ不停電システムを組み合わせて突然の停電の状況を予防する必要がない。
【０００７】
ただし、この永久磁盤２は実際の応用上、以下のような解決すべき問題と欠点を有している。
１．この永久磁盤は複数の小磁石で吸着力を提供し、その吸着力は小さく大形の工作物を吸着できない。
２．工作物Ｍはこれら盤体の上方に置かれ（図３参照）、加工時に永久磁石を傷つけないよう、工作物の表面にしか研磨や切削の加工が行なえず、工作物の周囲の四つの側面に対する加工が行なえず、孔あけ或いは溝切り等の加工動作が行なえない。
【考案の開示】
【考案が解決しようとする課題】
【０００８】
以上、従来の技術の欠点を鑑み、本考案は、有効に磁力シートの体積と重量を減らせ、並びに強力な磁力を獲得できるようにした開閉式永久磁性ワークテーブルクランプシステムを提供することを課題としている。
【課題を解決するための手段】
【０００９】
請求項１の考案は、開閉式永久磁性ワークテーブルクランプシステムにおいて、磁力シートを具え、該磁力シートは、ベース、二つの面板、磁極素子、本体、二つの絶縁素子を具え、
該ベースはステンレスのような非導磁性の鉄材料で所定の大きさに形成された座体であり、
該二つの面板は導磁材料のヨーク鉄で形成され、該本体の二つの導磁ヨークの上方に設置され、平坦な吸引面を形成して工作物の載置と位置決めに供され、
該磁極素子は本体の円形内孔中に収容され、第１永久磁石及び異なる磁極を具え且つ半円柱状を呈する二つの導磁ヨークで組成され、この二つの導磁ヨークが所定の距離離されて非導磁性の絶縁素子で結合され、該第１永久磁石は複数の扁平な磁石が併合されてなり、組合せ後のＮ極とＳ極がそれぞれ二つの導磁ヨークの平坦面に当接しそれを被覆し、
該本体は、異なる磁極を有する二つの導磁ヨークが所定距離離されて非導磁性の絶縁素子で結合されてなり、該ベースの上方に収容され、その各導磁ヨークの一側に内凹半円形孔が設けられ、該本体の二つの導磁ヨーク間の方形内孔に第２永久磁石が設けられ、組合せ後の磁極が該本体の二つの導磁ヨークの平坦面に当接してそれを被覆し、該第２永久磁石の磁場強度の総和が第１永久磁石に等しく、該本体の二つの導磁ヨークの下方の二辺が削られて階段面が形成され、該本体の二つの導磁ヨークの上方が下方よりも大きい導磁面積を具え、最強の磁力が上方の吸引部に集中し、磁抵抗の損耗がなく、
該二つの絶縁素子は、銅或いはステンレスのような非導磁性の材料で形成されて該本体と磁極素子を連結するのに用いられ、該磁極素子と該本体の第１、第２永久磁石の磁極線を隔離し、第１、第２永久磁石の磁力が該本体の上、底面より該絶縁素子を跨ぎ、該面板のみに磁場が形成され、該絶縁素子の磁極素子と反対の外部の前、後連接軸の中心に凸嵌合手段が設けられ、スパナ工具及び連接手段の嵌合に供され、
第１、第２永久磁石のＮ極、Ｓ極が同側の時、本体の二つの導磁ヨークの磁力は第１、第２永久磁石の総和となり、第１、第２永久磁石が反対側の時、本体の二つの導磁ヨークの磁力は相互に打ち消されることを特徴とする、開閉式永久磁性ワークテーブルクランプシステムとしている。
請求項２の考案は、請求項１記載の開閉式永久磁性ワークテーブルクランプシステムにおいて、本体の二つの導磁ヨークの外側に高硬度の耐磨耗板が設けられ、該本体の二つの導磁ヨークの吸引部に高硬度の耐磨耗柱が設けられたことを特徴とする、開閉式永久磁性ワークテーブルクランプシステムとしている。
請求項３の考案は、請求項１記載の開閉式永久磁性ワークテーブルクランプシステムにおいて、第１、第２永久磁石は希土類異方性永久磁石で形成されたナジウム鉄ほう磁石とされたことを特徴とする、開閉式永久磁性ワークテーブルクランプシステムとしている。
請求項４の考案は、請求項１記載の開閉式永久磁性ワークテーブルクランプシステムにおいて、磁力シートの隣り合う二つの耐磨耗板の側辺に二つの位置決め板が固定されて工作物の吸着、位置決めに供されることを特徴とする、開閉式永久磁性ワークテーブルクランプシステムとしている。
請求項５の考案は、請求項１記載の開閉式永久磁性ワークテーブルクランプシステムにおいて、本体と磁極素子を連結する絶縁素子が前面板と前接続軸を具え、該前面板と前接続軸の間に相互に対応する位置決め手段と半円形位置決め溝が設けられ、位置決め手段が磁極素子に伴い正逆１８０度の回転可能とされ、位置決め手段が半円形位置決め溝の左右両辺の開、閉位置に位置決めされることで、その磁極の位置が改変されることを特徴とする、開閉式永久磁性ワークテーブルクランプシステムとしている。
請求項６の考案は、請求項１記載の開閉式永久磁性ワークテーブルクランプシステムにおいて、連接手段が二つの磁力シートの間に支持されて連結機能を提供することを特徴とする、開閉式永久磁性ワークテーブルクランプシステムとしている。
【考案の効果】
【００１０】
本考案は有効に磁力シートの体積と重量を減らせ、並びに強力な磁力を獲得できるようにした開閉式永久磁性ワークテーブルクランプシステムを提供している。
本考案はまた、工作物の表面及び周囲の四つの側面に対して研磨と切削等の加工動作を行なえる。
本考案はまた、工作物に孔あけや溝切りの動作を行なえる。
本考案はさらに、複数久美の磁力シートを組合せ可能で、これにより大きな吸着力を提供して大型の工作物の使用に供することができる。
【考案を実施するための最良の形態】
【００１１】
本考案の磁力シートの柱状磁極素子と本体は、それぞれ二つの異なる磁極の導磁ヨークで組成され、またそれぞれ柱状磁極素子と本体の二つの導磁ヨークの平坦面に磁場強度が等しい第１永久磁石及び第２永久磁石が設置され、第１永久磁石と第２永久磁石の磁気エネルギーが１００分の１００を割合を以て柱状磁極素子と本体の二つの導磁ヨークに導磁され、磁力シートが吸着状態時の磁力がほぼ２倍にも増されている。
【実施例１】
【００１２】
図４の本考案の立体組合せ図及び図５の本考案の立体分解図、図６の本考案の正面断面図、図７の本考案の平面断面図に示されるように、本考案の磁力シートは、ベース１０、面板２０、本体３０、磁極素子４０、二つの絶縁素子５０、６０を具えている。
【００１３】
該ベース１０は炭素含有量が低く導磁性を具備しない鉄材料、例えばステンレスで形成され、該ベース１０の底面に複数の魚眼孔１１が設けられ、非導磁性ネジ１２（例えばステンレス材料のもの）により本体３０底部に固定され、磁場を遮断してベース１０の底面部分に磁場が形成されないようにし、これにより知力がベース１０の置かれた作業母機に伝導されるのを防止し、該ベース１０は冶具７０で作業母機のワークテーブル８０のＴ形滑り溝８１に固定される。
【００１４】
該面板２０は導磁材料のヨーク鉄で形成され、左右にそれぞれ一つが、本体３０の二つの導磁ヨーク３０Ａ、３０Ｂの上方に置かれ、平坦な吸引面を形成し、導磁性を具えた鉄質基材で形成された工作物Ｍがその上に置かれて吸着、位置決めされる。
【００１５】
該本体３０は長方形を呈し且つ磁極が同じでない（一方がＮ極、もう一方がＳ極）の二つの導磁ヨーク３０Ａ、３０Ｂが相互に所定距離離され、並びに非導磁性の絶縁素子５０、６０で結合されて一体とされ、図示される非導磁性の絶縁素子５０はステンレス材料のボルト５１と、前、後ろ面板４２、５３（アルミ材で形成）、上、下カバー板５４、５５（アルミ材で形成）、中間の組合せスリーブ５６（銅材料で形成）を具え、二つの該導磁ヨーク３０Ａ、３０Ｂの対向する内側に内凹半円形孔３１Ａ、３１Ｂが設けられ、これにより本体３０の中央に横向きの円形内孔３１が形成され、柱状磁極素子４０の挿入に供される。
【００１６】
該本体３０の二つの導磁ヨーク３０Ａ、３０Ｂは炭素含有量が低い軟鉄材料で形成され、硬度が低く、工作物Ｍにより傷ついたり変形しやすいため、導磁ヨーク３０Ａ、３０Ｂの外側に高硬度の耐磨耗板３２が設けられて本体３０を傷や変形から保護し、また二つの導磁ヨーク３０Ａ、３０Ｂの吸引部３３Ａ、３３Ｂに高硬度の耐磨耗柱３４が設けられ、これにより吸引部３３Ａ、３３Ｂの基準面が維持され、該二つの導磁ヨーク３０Ａ、３０Ｂの吸引部３３Ａ、３３Ｂにネジ孔３５が設けられ、埋め込みネジＰにより二つの導磁性の面板２０が固定される。
【００１７】
該磁極素子４０は円柱状を呈し、ちょうど本体３０の円形内孔３１中に収容され、それは第１永久磁石Ａ１、Ａ２〜Ａ１２及び異なる磁極（一方がＮ極、もう一方がＳ極）を具えた二つの導磁ヨーク４０Ａ、４０Ｂで組成され、該第１永久磁石Ａ１、Ａ２〜Ａ１２は１２個の薄く扁平な磁石が併合されてなり、この磁石には希土類異方性永久磁石、いわゆるナジウム鉄ほう磁石（Ｎ３５）が使用され、それは３０ガウスを超える超強力磁石であり、並びに組合せ後の磁極Ｎ、Ｓ極がそれぞれ二つの導磁ヨーク４０Ａ、４０Ｂの平坦面に当接されてそれを被覆し、その磁力が完全に有効に二つの導磁ヨーク３０Ａ、３０Ｂに伝えられ、その磁力が二つの導磁ヨーク４０Ａ、４０Ｂに完全且つ有効に伝導され、更に二つの導磁ヨーク４０Ａ、４０Ｂの外周面と本体３０の二つの導磁ヨーク３０Ａ、３０Ｂの円形内孔３１が完全に接合され、また磁極素子４０の下方にあって、二つの導磁ヨーク３０Ａ、３０Ｂの方形内孔３６に第２永久磁石Ｂ１、Ｂ２〜Ｂ６が設置され、並びに組合せ後の磁極Ｎ、Ｓ極がそれぞれ二つの導磁ヨーク３０Ａ、３０Ｂの平坦面３６Ａ、３６Ｂに当接され、該第２永久磁石Ｂ１、Ｂ２〜Ｂ６の磁場強度の総合は第１永久磁石Ａ１、Ａ２〜Ａ１２に等しく、ゆえに第１永久磁石Ａ１、Ａ２〜Ａ１２の磁力が完全に本体３０の二つの導磁ヨーク３０Ａ、３０Ｂに伝えられ、第２永久磁石Ｂ１、Ｂ２〜Ｂ６の磁力は磁極素子４０の二つの導磁ヨーク４０Ａ、４０Ｂを介して間接的に完全に本体３０の二つの導磁ヨーク３０Ａ、３０Ｂに伝えられ、該本体３０の二つの導磁ヨーク３０Ａ、３０Ｂの下方の両辺は削られて階段面３７が形成され、本体３０の二つの導磁ヨーク３０Ａ、３０Ｂの上方が下方に較べて大きな導磁面積を具備し、最強の磁力が完全にその吸引部３３Ａ、３３Ｂに集中し、磁抵抗の損耗がない。
【００１８】
該磁極素子４０は所定の距離を以て配置された二つの導磁ヨーク４０Ａ、４０Ｂが、非導磁性の絶縁素子で結合されて一体とされてなり、図示される非導磁性の絶縁素子６０はステンレス材料で形成されたボルト６１、及び前後の接続軸６２、６３（ステンレス材料で形成されうる）、及び上、下カバー板６４、６５（ステンレス材料で形成されうる）を具え、該前後の接続軸６２、６３には銅材料で形成された軸スリーブ６６、６７が嵌合され、該軸スリーブ６６、６７の外径と本体３０の円形内孔３１の内径はマッチし、該磁極素子４０の外径は本体３０の円形内孔３１内径よりやや小さく、該前接続軸６２の中心に凸嵌合手段６２Ａが設けられ、スパナ工具（図示せず）を嵌合して磁極素子４０を回すのに供される。該前接続軸６２の径方向に位置決め手段６２Ｂが設けられ、前面板５２に設けられた半円形位置決め溝５２Ａが組み合わされて、位置決め手段６２Ｂが前面板５２に伴い正逆各１８０度の回転可能とされ、位置決め手段６２Ｂが半円形位置決め溝５２Ａの左右両辺の開、閉位置に位置決めされることにより、その磁極の位置が改変され、後ろ接続軸６３の中心に凸嵌合手段６３Ａが設けられ、連結手段６８により、二つが一組の、無限に延伸される複数組の磁力シートを具えた形態が形成され、そのうち第２組の後ろ接続軸６３の凸嵌合手段６３Ａは省略可能である。
【００１９】
上述の各部品構造が組み合わされて本考案が構成され、それは一種の開閉式永久磁性ワークテーブルクランプシステムを提供するものであり、実際の操作応用については図８を参照されたい。これは本考案の吸磁状態の使用表示図である。第１永久磁石Ａ１、Ａ２〜Ａ１２と第２永久磁石Ｂ１、Ｂ２〜Ｂ６のＮ極、Ｓ極が同側の時、本体３０の二つの導磁ヨーク３０Ａ、３０Ｂの磁力は両者の和となり吸磁時の磁力が最強となる。
【００２０】
図９は本体３０の消磁状態の使用表示図である。第１永久磁石Ａ１、Ａ２〜Ａ１２と第２永久磁石Ｂ１、Ｂ２〜Ｂ６のＮ極とＳ極が反対側の時、本体３０の二つの導磁ヨーク３０Ａ、３０ＢはＮ極、Ｓ極の磁力が相互に打ち消し合い、零となり、ゆえに不吸磁状態時は確実に消磁される。
【００２１】
更に、図１０は本考案が大型工作物に使用される状態表示図である。図示されるように、四つの連結手段６８が二列の六個の磁性吸引作用を具えた磁力シートと組み合わされ、拡大されて大きな吸引面を形成し、大きな磁吸引力を提供し（各磁力シートは冶具７０により作業母機のワークテーブル８０のＴ形滑り溝８１に位置決めされている）、大型の工作物Ｍを吸着でき、ＣＮＣ中心切削加工機、旋盤、研磨盤等の加工機で重加工する時に使用され、周知の永久磁盤と電磁盤の単一構造装置の、その大きさに制限され、吸引力が小さく大型の工作物Ｍを吸着位置決めできなかった欠点を解決し、電力不要で整流器やＵＰＳ不停電システムの配備不要であり、多くのコストを節約でき、並びに電線の牽引、制限がなく、このため工作物Ｍの表面及び周囲の四面に対して加工を行なえる。
【００２２】
図１１は本考案を工作物に孔開けに使用する使用状態表示図である。該面板２０は消耗品であり、孔あけ或いは溝切りを行なう時、工作物Ｍを面板２０に吸着させれば、周知の永久式磁盤の孔あけに使用できなかった欠点を解決する。
【００２３】
図１２は、本考案が一度に複数の小型工作物を加工するのに使用される使用状態表示図である。図示されるように、五個の連結手段６８は、２列の合計１０個の磁性吸引作用を具えた磁力シートが組み合わされ（各磁力シートは冶具７０により作業母機のワークテーブル８０のＴ形滑り溝８１に位置決めされている）、各磁力シートは少なくとも隣り合う二側の耐磨耗板３２に二つの位置決め板が螺子止めされ、各磁力シートがそれぞれ一つの小型の工作物Ｍの吸着に供され、これにより同時に１０個の小型の工作物Ｍの加工が行なえる。
【００２４】
図１３は本考案を立式挟持具に組み合わせた表示図である。本考案の提供する磁力シートは冶具７０で立式挟持具７１に設置され、一般の横式加工（図１４、１５）のほかに、立式加工（図１６、１７）に適用される。
【００２５】
総合すると、本考案は一種の開閉式永久磁性ワークテーブルクランプシステムを提供し、本考案者が実際の製品を反復操作、試験したところ、予期された作用効果が確実に達成されることが実証された。また本考案はこれまでにない新規性を有する考案であり、産業上の利用価値及び実用性を具えている。
【図面の簡単な説明】
【００２６】
【図１】周知の電磁式磁盤の立体外観図である。
【図２】周知の永久磁盤の立体外観図である。
【図３】周知の電磁式磁盤及び永久磁盤の使用表示図である。
【図４】本考案の立体組合せ図である。
【図５】本考案の立体分解図である。
【図６】本考案の正面断面図である。
【図７】本考案の平面断面図である。
【図８】本考案の吸磁状態の使用表示図である。
【図９】本考案の消磁状態の使用表示図である。
【図１０】本考案が大型工作物に使用される状態表示図である。
【図１１】本考案が工作物の孔開けに使用される使用状態表示図である。
【図１２】本考案が一度に複数の小型工作物を加工するのに使用される使用状態表示図である。
【図１３】本考案に立式挟持具が組み合わされた組合せ図である。
【図１４】本考案の横式加工の使用状態表示図である。
【図１５】本考案の横式加工の別の使用状態表示図である。
【図１６】本考案の立式加工の使用状態表示図である。
【図１７】本考案の立式加工の別の使用状態表示図である。
【符号の説明】
【００２７】
１  電磁盤
２  永久磁盤
１０  ベース                    １１  魚眼孔
１２  非導磁性ネジ
２０  面板
３０  本体                      ３０Ａ、３０Ｂ  導磁ヨーク
３１Ａ、３１Ｂ  内凹半円形孔    ３２  耐磨耗板
３３Ａ、３３Ｂ  吸引部          ３４  耐磨耗柱
３５  ネジ孔                    ３６  方形内孔
３６Ａ、３６Ｂ  平坦面          ３７  階段面
Ｐ  ネジ
４０  磁極素子                  ４０Ａ、４０Ｂ  導磁ヨーク
Ａ１、Ａ２〜Ａ１２  第１永久磁石
Ｂ１、Ｂ２〜Ｂ６  第２永久磁石
５０  絶縁素子                  ５１  ボルト
５２  前面板                    ５２Ａ  半円形位置決め溝
５３  後ろ面板                  ５４  上カバー板
５５  下カバー板                ５６  スリーブ
６０  絶縁素子                  ６１  ボルト
６２  前接続軸                  ６２Ａ  凸嵌合手段
６２Ｂ  位置決め手段            ６３Ａ  凸嵌合手段
６４  上カバー板
６５  下カバー板                ６６、６７  軸スリーブ
６８  連結手段
７０  冶具                      ７１  立式挟持具
８０  ワークテーブル            ８１  Ｔ形滑り溝
【図１】
0003106264.tif 000003
【図２】
0003106264.tif 000004
【図３】
0003106264.tif 000005
【図４】
0003106264.tif 000006
【図５】
0003106264.tif 000007
【図６】
0003106264.tif 000008
【図７】
0003106264.tif 000009
【図８】
0003106264.tif 000010
【図９】
0003106264.tif 000011
【図１０】
0003106264.tif 000012
【図１１】
0003106264.tif 000013
【図１２】
0003106264.tif 000014
【図１３】
0003106264.tif 000015
【図１４】
0003106264.tif 000016
【図１５】
0003106264.tif 000017
【図１６】
0003106264.tif 000018
【図１７】
0003106264.tif 000019